(57)【要約】【課題】本発明は、内部に水密構造で収容するゼラチンフィルタを随時好みの色のゼラチンフィルタに交換でき、所望の色補正を伴う水中撮影を実現できる水中カメラハウジング用の色補正フィルタ保持体を提供する。【解決手段】本発明の水中カメラハウジング２０用の色補正フィルタ保持体１は、水中カメラハウジング２０のハウジング鏡筒部２１に装着されるゴム製の装着筒３１に設けた内周溝３２に対して着脱可能に構成した円盤状を呈するものであって、透明材からなる円盤状の第１フィルタ保持体２と、この第１フィルタ保持体２に対して外周接合領域が水密構造で、かつ、ネジ結合で着脱可能に連結されるとともに、前記第１フィルタ保持体２の内周側領域との間にフィルタ収容領域１５を形成する透明材からなる円盤状の第２フィルタ保持体１１と、を具備し、フィルタ収容領域１５に紫、ピンク、青等から選定されるゼラチン質の色補正フィルタ１６を取り替え可能に収容した構成としたものである。【選択図】図３
2009205091.tif 000002
【特許請求の範囲】
【請求項１】
水中撮影機器ハウジングのハウジング鏡筒部に装着される装着筒に設けた内周溝に対して着脱可能に構成した円盤状を呈する色補正フィルタ保持体であって、
透明材からなる円盤状の第１フィルタ保持体と、この第１フィルタ保持体に対して外周接合領域が水密構造で着脱可能に連結されるとともに、前記第１フィルタ保持体の内周側領域との間にフィルタ収容領域を形成する透明材からなる円盤状の第２フィルタ保持体と、を具備し、
前記フィルタ収容領域に色補正フィルタを取り替え可能に収容したことを特徴とする水中撮影機器ハウジング用の色補正フィルタ保持体。
【請求項２】
水中カメラハウジングのハウジング鏡筒部に装着される装着筒に設けた内周溝に対して着脱可能に構成した円盤状を呈する色補正フィルタ保持体であって、
透明材からなる円盤状の第１フィルタ保持体と、この第１フィルタ保持体に対して外周接合領域が水密構造で着脱可能に連結されるとともに、前記第１フィルタ保持体の内周側領域との間にフィルタ収容領域を形成する透明材からなる円盤状の第２フィルタ保持体と、を具備し、
前記フィルタ収容領域に色補正フィルタを取り替え可能に収容したことを特徴とする水中カメラハウジング用の色補正フィルタ保持体。
【請求項３】
水中カメラハウジングのハウジング鏡筒部に装着されるゴム製の装着筒に設けた内周溝に対して着脱可能に構成した円盤状を呈する色補正フィルタ保持体であって、
透明材からなる円盤状の第１フィルタ保持体と、この第１フィルタ保持体に対して外周接合領域が水密構造で、かつ、ネジ結合又は嵌め合い結合で着脱可能に連結されるとともに、前記第１フィルタ保持体の内周側領域との間にフィルタ収容領域を形成する透明材からなる円盤状の第２フィルタ保持体と、を具備し、
前記フィルタ収容領域に紫、ピンク、青等から選定されるゼラチン質の色補正フィルタを取り替え可能に収容したことを特徴とする水中カメラハウジング用の色補正フィルタ保持体。
【請求項４】
水中撮影用ストロボのストロボ筺体に装着される装着筒に設けた内周溝に対して着脱可能に構成した円盤状を呈する色補正フィルタ保持体であって、
透明材からなる円盤状の第１フィルタ保持体と、この第１フィルタ保持体に対して外周接合領域が水密構造で着脱可能に連結されるとともに、前記第１フィルタ保持体の内周側領域との間にフィルタ収容領域を形成する透明材からなる円盤状の第２フィルタ保持体と、を具備し、
前記フィルタ収容領域に色補正フィルタを取り替え可能に収容したことを特徴とする水中撮影用ストロボの色補正フィルタ保持体。
【請求項５】
水中撮影用ストロボのストロボ筺体に装着されるゴム製の装着筒に設けた内周溝に対して着脱可能に構成した円盤状を呈する色補正フィルタ保持体であって、
透明材からなる円盤状の第１フィルタ保持体と、この第１フィルタ保持体に対して外周接合領域が水密構造で、かつ、ネジ結合又は嵌め合い結合で着脱可能に連結されるとともに、前記第１フィルタ保持体の内周側領域との間にフィルタ収容領域を形成する透明材からなる円盤状の第２フィルタ保持体と、を具備し、
前記フィルタ収容領域に紫、ピンク、青等から選定されるゼラチン質の色補正フィルタを取り替え可能に収容したことを特徴とする水中撮影用ストロボの色補正フィルタ保持体。
【請求項６】
水中撮影用ライトのライトボ筺体に装着される装着筒に設けた内周溝に対して着脱可能に構成した円盤状を呈する色補正フィルタ保持体であって、
透明材からなる円盤状の第１フィルタ保持体と、この第１フィルタ保持体に対して外周接合領域が水密構造で着脱可能に連結されるとともに、前記第１フィルタ保持体の内周側領域との間にフィルタ収容領域を形成する透明材からなる円盤状の第２フィルタ保持体と、を具備し、
前記フィルタ収容領域に色補正フィルタを取り替え可能に収容したことを特徴とする水中撮影用ライトの色補正フィルタ保持体。
【請求項７】
水中撮影用ライトのライト筺体に装着されるゴム製の装着筒に設けた内周溝に対して着脱可能に構成した円盤状を呈する色補正フィルタ保持体であって、
透明材からなる円盤状の第１フィルタ保持体と、この第１フィルタ保持体に対して外周接合領域が水密構造で、かつ、ネジ結合又は嵌め合い結合で着脱可能に連結されるとともに、前記第１フィルタ保持体の内周側領域との間にフィルタ収容領域を形成する透明材からなる円盤状の第２フィルタ保持体と、を具備し、
前記フィルタ収容領域に紫、ピンク、青等から選定されるゼラチン質の色補正フィルタを取り替え可能に収容したことを特徴とする水中撮影用ライトの色補正フィルタ保持体。
【発明の詳細な説明】
【技術分野】
【０００１】
本発明は、水中撮影機器ハウジング用の色補正フィルタ保持体、水中カメラハウジング用の色補正フィルタ保持体、水中撮影用ストロボの色補正フィルタ保持体及び水中撮影用ライトの色補正フィルタ保持体に関するものである。
【背景技術】
【０００２】
従来、陸上での被写体撮影に使用されるカメラに取り付けるフィルタとしては、各光源の色温度を変換する例えばゼラチンフィルタのような色補正フィルタ、光の横波だけを吸収することで反射を取り除く偏光フィルタ、紫外線をカットする紫外線フィルタ等、各種のフィルタが使用されている。
【０００３】
一方、水中での被写体撮影に使用されるカメラ内蔵の水中カメラハウジングに関しては、水中での使用という特殊条件を考慮して例えばゼラチンフィルタのような色補正フィルタを専用のフィルタ保持体に収容し、水中カメラハウジングのハウジング鏡筒部に取り付けて水中撮影に供するようにしている。
【０００４】
この場合、従来においては専用のフィルタ保持体に収容した色補正フィルタは、取り替えができないため、カメラマンは所望の色補正を行なおうとする場合、色の異なる色補正フィルタを収容した複数個のフィルタ保持体を個別に用意しなければならないという不便さがあった。このような事情は、水中撮影用ストロボ、水中撮影用ライトに関しても同様であった。
【０００５】
特許文献１には、リングにゼラチンフィルタ装着用のスリットを設け、下部にフィルタ下部の角を外に出すスリットを設けてゼラチンフィルタを着脱できるように構成したゼラチンフィルタホルダーが提案されている。
【０００６】
しかし、この特許文献１の場合、水中カメラハウジング等の水中撮影機器への装着を考慮したものではない。
【特許文献１】実用新案登録第３０８３０３３号公報
【発明の開示】
【発明が解決しようとする課題】
【０００７】
本発明が解決しようとする問題点は、内部に水密構造で収容するゼラチンフィルタを随時好みの色のゼラチンフィルタに交換でき、所望の色補正を伴う水中撮影を実現できる水中撮影機器ハウジング用の色補正フィルタ保持体、例えば水中カメラハウジング用の色補正フィルタ保持体が存在しない点である。
【課題を解決するための手段】
【０００８】
本発明の水中機器ハウジング用の色補正フィルタ保持体は、水中撮影機器ハウジングのハウジング鏡筒部に装着される装着筒に設けた内周溝に対して着脱可能に構成した円盤状を呈する色補正フィルタ保持体であって、透明材からなる円盤状の第１フィルタ保持体と、この第１フィルタ保持体に対して外周接合領域が水密構造で着脱可能に連結されるとともに、前記第１フィルタ保持体の内周側領域との間にフィルタ収容領域を形成する透明材からなる円盤状の第２フィルタ保持体と、を具備し、前記フィルタ収容領域に色補正フィルタを取り替え可能に収容したことを最も主要な特徴とする。
【発明の効果】
【０００９】
請求項１記載の発明によれば、透明材からなる円盤状の第１フィルタ保持体と、この第１フィルタ保持体に対して外周接合領域が水密構造で着脱可能に連結されるとともに、前記第１フィルタ保持体の内周側領域との間にフィルタ収容領域を形成する透明材からなる円盤状の第２フィルタ保持体と、を具備するものであるから、フィルタ収容領域に水密構造で収容する色補正フィルタを随時好みの色の色補正フィルタに交換でき、所望の色補正を伴う水中撮影を実現できる水中撮影機器ハウジング用の色補正フィルタ保持体を提供できる。
【００１０】
請求項２記載の発明によれば、透明材からなる円盤状の第１フィルタ保持体と、この第１フィルタ保持体に対して外周接合領域が水密構造で着脱可能に連結されるとともに、前記第１フィルタ保持体の内周側領域との間にフィルタ収容領域を形成する透明材からなる円盤状の第２フィルタ保持体と、を具備するものであるから、フィルタ収容領域に水密構造で収容する色補正フィルタを随時好みの色の色補正フィルタに交換でき、所望の色補正を伴う水中撮影を実現できる水中カメラハウジング用の色補正フィルタ保持体を提供できる。
【００１１】
請求項３記載の発明によれば、第１フィルタ保持体と第２フィルタ保持体とをネジ結合又は嵌め合い結合とし、また、色補正フィルタを紫、ピンク、青等から選定されるゼラチン質の色補正フィルタとした構成で、請求項１記載の発明と同様、フィルタ収容領域に水密構造で収容する色補正フィルタを随時好みの色のゼラチン質の色補正フィルタに交換でき、所望の色補正を伴う水中撮影を実現できる水中カメラハウジング用の色補正フィルタ保持体を提供できる。
【００１２】
請求項４記載の発明によれば、透明材からなる円盤状の第１フィルタ保持体と、この第１フィルタ保持体に対して外周接合領域が水密構造で着脱可能に連結されるとともに、前記第１フィルタ保持体の内周側領域との間にフィルタ収容領域を形成する透明材からなる円盤状の第２フィルタ保持体と、を具備するものであるから、フィルタ収容領域に水密構造で収容する色補正フィルタを随時好みの色の色補正フィルタに交換でき、所望の色補正を伴いつつ被写体にストロボ光を照射することが可能な水中撮影用ストロボの色補正フィルタ保持体を提供できる。
【００１３】
請求項５記載の発明によれば、第１フィルタ保持体と第２フィルタ保持体とをネジ結合又は嵌め合い結合とし、また、色補正フィルタを紫、ピンク、青等から選定されるゼラチン質の色補正フィルタとした構成で、請求項３記載の発明と同様、フィルタ収容領域に水密構造で収容する色補正フィルタを随時好みの色のゼラチン質の色補正フィルタに交換でき、所望の色補正を伴いつつ被写体にストロボ光を照射することが可能な水中撮影用ストロボの色補正フィルタ保持体を提供できる。
【００１４】
請求項６記載の発明によれば、透明材からなる円盤状の第１フィルタ保持体と、この第１フィルタ保持体に対して外周接合領域が水密構造で着脱可能に連結されるとともに、前記第１フィルタ保持体の内周側領域との間にフィルタ収容領域を形成する透明材からなる円盤状の第２フィルタ保持体と、を具備するものであるから、フィルタ収容領域に水密構造で収容する色補正フィルタを随時好みの色の色補正フィルタに交換でき、所望の色補正を伴いつつ被写体にライトからの照明光を照射することが可能な水中撮影用ライトの色補正フィルタ保持体を提供できる。
【００１５】
請求項７記載の発明によれば、第１フィルタ保持体と第２フィルタ保持体とをネジ結合又は嵌め合い結合とし、また、色補正フィルタを紫、ピンク、青等から選定されるゼラチン質の色補正フィルタとした構成で、請求項３記載の発明と同様、フィルタ収容領域に水密構造で収容する色補正フィルタを随時好みの色のゼラチン質の色補正フィルタに交換でき、所望の色補正を伴いつつ被写体にライトからの照明光を照射することが可能な水中撮影用ライトの色補正フィルタ保持体を提供できる。
【発明を実施するための最良の形態】
【００１６】
本発明は、内部に水密構造で収容するゼラチンフィルタを随時好みの色のゼラチンフィルタに交換でき、所望の色補正を伴う水中撮影を実現できる水中カメラハウジング用の色補正フィルタ保持体を提供することを目的とする。
【００１７】
本発明の水中カメラハウジング用の色補正フィルタ保持体は、水中カメラハウジングのハウジング鏡筒部に装着されるゴム製の装着筒に設けた内周溝に対して着脱可能に構成した円盤状を呈する色補正フィルタ保持体であって、透明材からなる円盤状の第１フィルタ保持体と、この第１フィルタ保持体に対して外周接合領域が水密構造で、かつ、ネジ結合で着脱可能に連結されるとともに、前記第１フィルタ保持体の内周側領域との間にフィルタ収容領域を形成する透明材からなる円盤状の第２フィルタ保持体と、を具備し、前記フィルタ収容領域に紫、ピンク、青等から選定されるゼラチン質の色補正フィルタを取り替え可能に収容した構成により上記目的を実現した。
【実施例】
【００１８】
以下に、本発明の実施例に係る水中撮影機器ハウジング用の色補正フィルタ保持体、水中カメラハウジング用の色補正フィルタ保持体、水中撮影用ストロボの色補正フィルタ保持体及び水中撮影用ライトの色補正フィルタ保持体について詳述する。
【００１９】
（実施例１）
図１乃至図５を参照して本発明の実施例１に係る水中撮影機器ハウジングの一種である水中カメラハウジング用の色補正フィルタ保持体について説明する。
【００２０】
本発明の実施例１に係る水中カメラハウジング２０（詳細は後述する）用の色補正フィルタ保持体１は、図１乃至図４に示すように、全体として円盤状に形成され、例えばデジタルカメラ、スチールカメラ等のカメラを内部に収容する水中カメラハウジング２０のハウジング鏡筒部２１に着脱可能に装着される例えばアクリロニトリル−ブタジエンゴム（ＮＢＲ）製の円筒状の装着筒３１に設けた内周溝３２に対して着脱可能に構成したものである。
【００２１】
前記色補正フィルタ保持体１は、図１、図２に示すように、例えばポリカーボネイト又はアクリル等の透明材からなる円盤状の第１フィルタ保持体２と、この第１フィルタ保持体２に対して外周接合領域が水密構造で、かつ、ネジ結合で着脱可能に連結した同じくポリカーボネイト又はアクリル等の透明材からなる円盤状の第２フィルタ保持体１１とを具備している。
【００２２】
前記色補正フィルタ保持体１を構成する第１フィルタ保持体２の外周全体にわたって形成した突条部４の内周側には、全周にわたって雌ネジ３が設けられ、また、突条部４より内周側には全周にわたって係合凹溝５が設けられている。
【００２３】
また、前記色補正フィルタ保持体１を構成する第２フィルタ保持体１１は、前記雌ネジ３の部分と略同寸法の外径に形成され、その外周端に全周にわたって前記雌ネジ３に螺合する雄ネジ１２が設けられ、雄ネジ１２よりも内周側の壁面には全周にわたってＯリング１７用の凹溝１３が設けられ、さらにこの凹溝１３よりも内周側の壁面には全周にわたって前記係合凹溝５に没入する係合凸部１４が設けられている。
【００２４】
尚、第１フィルタ保持体２と第２フィルタ保持体１１とは、上述した雌ネジ３、雄ネジ１２により結合する構成の他、例えば、第１フィルタ保持体２に円形突条部を、第２フィルタ保持体１１に前記円形突条部に着脱可能に嵌合する円形凹部を設け、これらを嵌め合わせる嵌め合い結合等を採用することも可能である。
【００２５】
さらに、第２フィルタ保持体１１における係合凸部１４の内周側の壁面と前記第１フィルタ保持体２の対向する壁面との間に円形で数ｍｍ（例えば２乃至５ｍｍの）程度の薄幅のフィルタ収容領域１５を形成している。
【００２６】
そして、前記フィルタ収容領域１５に、例えば紫色、ピンク色、青色等から選定されるゼラチン質の色補正フィルタ１６のいずれかを取り替え可能に収容している。
【００２７】
また、前記凹溝１３にＯリング１７を入れて、前記色補正フィルタ保持体１の壁面に圧接し、これにより、前記色補正フィルタ１６を色補正フィルタ保持体１内に水密構造で収容するように構成している。
【００２８】
尚、図３、図４中、３３は、装着筒３１に設けた前記ハウジング鏡筒部２１への嵌合筒部である。
【００２９】
次に、本実施例１の色補正フィルタ保持体１の作用、効果について、図５をも参照して説明する。
【００３０】
本実施例１の色補正フィルタ保持体１を水中カメラハウジング２０のハウジング鏡筒部２１に取り付ける場合には、図３、図４に示すように、前記装着筒３１に設けた内周溝３２に特定の色の色補正フィルタ１６を収容した色補正フィルタ保持体１を装着した状態で、この装着筒３１の嵌合筒部３３をハウジング鏡筒部２１に嵌め込む。
【００３１】
これにより、カメラマンは、ハウジング鏡筒部２１の前面に特定の色の色補正フィルタ１６を配置した状態での水中撮影を行い、特定の色の色補正フィルタ１６による色補正を伴った被写体像を撮影できる。
【００３２】
尚、前記水中カメラハウジング２０は、ハウジング鏡筒部２１の他、シャッタレバー２２、ハンドグリップ２３、アクセサリシュー２４等の種々の必要な要素を搭載し、その内部にデジタルカメラ等を収容して水中撮影を実行し得るように構成している。
【００３３】
次に、カメラマンが上述した特定の色の色補正フィルタ１６とは別の色の色補正フィルタ１６の使用を欲する場合には、前記装着筒３１をハウジング鏡筒部２１から取り外す。
【００３４】
さらに色補正フィルタ保持体１を装着筒３１から抜き取った後、第１フィルタ保持体２と第２フィルタ保持体１１とを相対的に回して、雌ネジ３と雄ネジ１２とのネジ結合を解除し、第１フィルタ保持体２と第２フィルタ保持体１１とを分離する。
【００３５】
そして、色補正フィルタ１６を別の色の色補正フィルタ１６に取り換え、Ｏリング１７を間に介在しつつ第１フィルタ保持体２と第２フィルタ保持体１１とをネジ結合で連結し、図１に示す状態とした後、この色補正フィルタ保持体１を前記装着筒３１に設けた内周溝３２に装着する。
【００３６】
これ以降上述した場合と同様にして水中カメラハウジング２０のハウジング鏡筒部２１に取り付けることで、カメラマンは、ハウジング鏡筒部２１の前面に別の色の色補正フィルタ１６を配置した状態での水中撮影を行い、別の色の色補正フィルタ１６による色補正を伴った被写体像を撮影できる。
【００３７】
以上説明したように、本実施例１の色補正フィルタ保持体１によれば、内部に水密構造で収容する色補正フィルタ１６を随時紫色、ピンク色、青色等から選定される好みの色のものに交換でき、所望の色補正を伴う水中撮影を容易に実現することができる。
【００３８】
尚、上述した実施例１では、デジタルカメラ、スチールカメラ等のカメラを内部に収容する水中カメラハウジング２０に装着する装着筒３１、色補正フィルタ保持体１について説明したが、前記水中カメラハウジング２０の他、ビデオカメラ用のビデオカメラハウジングに関しても前記装着筒３１、色補正フィルタ保持体１を同様に装着して、ビデオカメラを用いた水中撮影を行うようにすることも可能である。
【００３９】
（実施例２）
図６、図７を参照して本発明の実施例２に係る水中撮影用のストロボ４０の色補正フィルタ保持体１Ａについて説明する。
【００４０】
本実施例２に係る色補正フィルタ保持体１Ａは、図７に示すように、実施例１の色補正フィルタ保持体１と全く同様に構成され、水中撮影用の外付け型のストロボ４０のストロボ筺体４１に装着されるゴム製の装着筒５１に設けた内周溝５２に対して着脱可能に嵌め込み、図６に示すようにストロボ４０のストロボ筺体４１に装着筒５１を用いて取り付けるようになっている。
【００４１】
このような実施例２に係る色補正フィルタ保持体１Ａによれば、実施例１の場合と同様色補正フィルタ１６を適宜各色に取り換え使用することで、前記ストロボ４０から被写体へ照射されるストロボ光に紫色、ピンク色、青色等から選定される好みの色の色補正をかけることができる。
【００４２】
（実施例３）
図８、図９を参照して本発明の実施例３に係る水中撮影用のライト６０の色補正フィルタ保持体１Ｂについて説明する。
【００４３】
本実施例３に係る色補正フィルタ保持体１Ｂは、図９に示すように、実施例１の色補正フィルタ保持体１と全く同様に構成され、水中撮影用の例えばビデオカメラ（図示せず）に付帯させるライト６０のライト筺体６１に装着されるゴム製の装着筒７１に設けた内周溝７２に対して着脱可能に嵌め込み、図８に示すように、ライト６０のライト筺体６１に装着筒７１を用いて取り付けるようになっている。
【００４４】
このような実施例３に係る色補正フィルタ保持体１Ｂによれば、実施例１の場合と同様色補正フィルタ１６を適宜各色に取り換え使用することで、前記ライト６０から被写体へ照射される照明光に紫色、ピンク色、青色等から選定される好みの色の色補正をかけつつ、ライト６０を使用した被写体のビデオ撮影等を実行することができる。
【産業上の利用可能性】
【００４５】
本発明の色補正フィルタ保持体は、上述した場合の他、色補正フィルタを複数枚重ねて収容する構成としたり、又は偏光フィルタ、紫外線フィルタ等の他の種類のフィルタを収容する構成としたり等の応用が可能である。
【図面の簡単な説明】
【００４６】
【図１】本発明の実施例１に係る水中カメラハウジング用の色補正フィルタ保持体を示す側面図である。
【図２】本実施例１に係る色補正フィルタ保持体の分解断面図である。
【図３】本実施例１に係る色補正フィルタ保持体を装着筒に嵌め込んだ状態を示す断面図である。
【図４】本実施例１に係る色補正フィルタ保持体を装着筒に嵌め込んだ状態を示す斜視図である。
【図５】本実施例１に係る色補正フィルタ保持体を装着筒に嵌め込んで水中カメラハウジングに取り付ける状態を示す斜視図である。
【図６】本発明の実施例２に係る色補正フィルタ保持体を装着筒に嵌め込んでストロボに取り付ける状態を示す斜視図である。
【図７】本実施例２に係る色補正フィルタ保持体を装着筒に嵌め込んだ状態を示す断面図である。
【図８】本発明の実施例３に係る色補正フィルタ保持体を装着筒に嵌め込んでライトに取り付ける状態を示す斜視図である。
【図９】本実施例３に係る色補正フィルタ保持体を装着筒に嵌め込んだ状態を示す断面図である。
【符号の説明】
【００４７】
１    色補正フィルタ保持体
１Ａ  色補正フィルタ保持体
１Ｂ  色補正フィルタ保持体
２    第１フィルタ保持体
３    雌ネジ
４    突条部
５    係合凹溝
１１    第２フィルタ保持体
１２    雄ネジ
１３    凹溝
１４    係合凸部
１５    フィルタ収容領域
１６    色補正フィルタ
１７    Ｏリング
２０    水中カメラハウジング
２１    ハウジング鏡筒部
２２    シャッタレバー
２３    ハンドグリップ
２４    アクセサリシュー
３１    装着筒
３２    内周溝
３３    嵌合筒部
４０    ストロボ
４１    ストロボ筺体
５１    装着筒
５２    内周溝
６０    ライト
６１    ライト筺体
７１    装着筒
７２    内周溝
【図１】
2009205091.tif 000003
【図２】
2009205091.tif 000004
【図３】
2009205091.tif 000005
【図４】
2009205091.tif 000006
【図５】
2009205091.tif 000007
【図６】
2009205091.tif 000008
【図７】
2009205091.tif 000009
【図８】
2009205091.tif 000010
【図９】
2009205091.tif 000011